【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
ガラス板を成形する方法であって、
ガラス板を提供することと、
前記ガラス板を成形に適した温度に加熱することと、
前記ガラス板を第１の曲げ工具上に配置することであって、前記ガラス板が、前記第１の曲げ工具の第１のセグメントの上に配置され、前記第１のセグメントが、前記第１の曲げ工具の成形面を少なくとも部分的に画定する、配置することと、
第１の位置から第２の位置まで前記第１の曲げ工具の前記第１のセグメントを移動させて、前記ガラス板の第１の部分と接触させることであって、前記ガラス板の前記第１の部分との前記接触が、前記第１の曲げ工具の前記成形面に対する前記ガラス板の位置を調整する、接触させることと、
前記第１の曲げ工具上で前記ガラス板を成形することと、を含む、方法。
【請求項２】
前記ガラス板が、前記第１の曲げ工具と第２の曲げ工具との間で前記ガラス板をプレス曲げすることによって、前記第１の曲げ工具上で成形される、請求項１に記載の方法。
【請求項３】
前記ガラス板を前記第１の曲げ工具の前記成形面上で支持することをさらに含む、請求項１または請求項２に記載の方法。
【請求項４】
前記第１の位置から前記第２の位置への前記第１の曲げ工具の前記第１のセグメントの移動が、前記第１の曲げ工具の第２のセグメントに向かう方向であり、及び／又は、前記ガラス板を前記第１の曲げ工具の前記第１のセグメントの上に配置する前に、前記第２の位置から前記第１の位置まで前記第１のセグメントを移動させることをさらに含む、請求項１〜３のいずれかに記載の方法。
【請求項５】
第１の位置から第２の位置まで前記第１の曲げ工具の第２のセグメントを移動させて、前記ガラス板の第２の部分と接触させることであって、前記ガラス板の前記第２の部分との前記接触が、前記第１の曲げ工具の前記成形面に対する前記ガラス板の前記位置を調整する、接触させることをさらに含み、前記第１の位置から前記第２の位置への前記第１の曲げ工具の前記第２のセグメントの移動が、前記第１の曲げ工具の前記第１のセグメントに向かう方向である、請求項１〜４のいずれかに記載の方法。
【請求項６】
第１の位置から第２の位置まで前記第１の曲げ工具の別のセグメントを移動させることをさらに含み、前記第１の曲げ工具の前記別のセグメントの移動が、前記第１のセグメントの移動方向に対して垂直な方向であり、及び／又は、
前記第１の曲げ工具の別のセグメントを移動させて、前記ガラス板の別の部分と接触させることであって、前記ガラス板の別の部分との前記接触が、前記第１の曲げ工具の前記成形面に対する前記ガラス板の前記位置を調整する、接触させることをさらに含み、前記第１の曲げ工具の前記第１のセグメントの移動が、ガラスの進行方向に対して垂直な方向であり、前記第１の曲げ工具の前記別のセグメントの移動が、ガラスの進行方向であり、及び／又は、
前記第１の曲げ工具の別のセグメントを移動させることをさらに含み、前記第１の曲げ工具の前記別のセグメントの移動が、ガラスの進行方向とは反対の方向である、請求項１〜５のいずれかに記載の方法。
【請求項７】
前記ガラス板を前記第１の曲げ工具上に配置する前に、前記第１の曲げ工具の前記成形面に対する前記ガラス板の前記位置を調整することをさらに含み、及び／又は、
前記第１の位置から前記第２の位置への前記第１の曲げ工具の前記第１のセグメントの移動が、ガラスの進行方向に対して垂直な方向であり、及び／又は、
前記ガラス板の前記第１の部分が、前記ガラス板の第１のピラー縁部分であり、前記第１の位置から前記第２の位置まで前記第１の曲げ工具の前記第１のセグメントを移動させた後に、前記ガラス板の前記第１のピラー縁部が、第１の位置決めアセンブリの端面に当接し、及び／又は、
前記ガラス板の前記第１の部分が、第１の位置決めアセンブリおよび第２の位置決めアセンブリによって接触され、前記第１の位置決めアセンブリおよび前記第２の位置決めアセンブリが、互いに離間され、前記第１の位置決めアセンブリおよび前記第２の位置決めアセンブリが、それぞれ、前記ガラス板に接触する前に、前記第１のセグメントと共に、かつ前記ガラス板に向かう方向に移動する、請求項１〜６のいずれかに記載の方法。
【請求項８】
前記ガラス板の前記第１の部分が、第１の位置決めアセンブリによって接触され、前記第１の位置決めアセンブリが、前記ガラス板の前記第１の部分に接触する前に、前記第１のセグメントと共に、かつ前記ガラス板に向かう方向に移動する、請求項１〜７のいずれかに記載の方法。
【請求項９】
前記第１の位置決めアセンブリが、上方向または下方向に垂直に移動するように構成された本体部分を備える、請求項８に記載の方法。
【請求項１０】
前記第１の曲げ工具と第２の曲げ工具との間で前記ガラス板をプレス曲げする前に、前記本体部分が前記下方向に垂直に移動する、又は、
前記第１の曲げ工具と第２の曲げ工具との間で前記ガラス板をプレス曲げした後に、前記本体部分が前記上方向に垂直に移動する、請求項９に記載の方法。
【請求項１１】
第１の位置から第２の位置まで前記第１の曲げ工具の前記第２のセグメントを移動させて、前記ガラス板の第２の部分と接触させることであって、前記ガラス板の前記第２の部分との前記接触が、前記第１の曲げ工具の前記成形面に対する前記ガラス板の前記位置を調整する、接触させることをさらに含み、前記第１の曲げ工具の前記第１のセグメントの移動および前記第１の曲げ工具の前記第２のセグメントの移動が、ガラス進行の方向に対して垂直な方向である、請求項４に記載の方法。
【請求項１２】
第１の位置から第２の位置まで前記第１の曲げ工具の前記第３のセグメントを移動させて、前記ガラス板の第３の部分と接触させることであって、前記ガラス板の前記第３の部分との前記接触が、前記第１の曲げ工具の前記成形面に対する前記ガラス板の前記位置を調整する、接触させることをさらに含み、前記第１の曲げ工具の前記第３のセグメントの移動が、前記第１のセグメントの移動方向に対して垂直であり、かつ前記第１の曲げ工具の第４のセグメントに向かう方向である、請求項１１に記載の方法。
【請求項１３】
前記第１の曲げ工具の第４のセグメントの上に前記ガラス板を配置し、前記ガラス板の第４の部分と接触させて、前記第１の曲げ工具の前記成形面に対する前記ガラス板の前記位置を調整することをさらに含む、請求項１２に記載の方法。
【請求項１４】
前記第１のセグメント、第２のセグメント、第３のセグメント、および第４のセグメントが、その外周領域において前記ガラス板を支持するリングとして構成される、及び／又は、
前記ガラス板がまた、前記第１の曲げ工具の前記第２のセグメントおよび前記第１の曲げ工具の前記第３のセグメントの上にも配置され、前記第１の曲げ工具の前記第１のセグメント、前記第１の曲げ工具の第２のセグメント、前記第１の曲げ工具の第３のセグメント、および前記第１の曲げ工具の第４のセグメントが、それぞれ、前記成形面の不連続部分を画定する、請求項１３に記載の方法。
【請求項１５】
前記第１の曲げ工具の前記第４のセグメントが、前記第１の曲げ工具の前記第３のセグメントに向かって移動しない、請求項１３又は１４に記載の方法。
【請求項１６】
前記ガラス板の前記第１の部分が、前記ガラス板の縁部分である、請求項１〜１５のいずれかに記載の方法。
【請求項１７】
ガラス板を成形するための曲げ工具であって、
ガラス板をその上で支持するための成形面であって、前記成形面が、第１のセグメントおよび第２のセグメントによって少なくとも部分的に画定され、前記第１のセグメントが、前記第２のセグメントから離間され、前記第１のセグメントが、前記第２のセグメントに向かう方向に、第１の位置から第２の位置まで移動可能である、成形面と、
前記第１のセグメントと機械的に連通する第１の位置決めアセンブリであって、前記第１の位置決めアセンブリが、前記ガラス板の第１の部分に接触して、前記成形面に対する前記ガラス板の位置を調整するように構成される、第１の位置決めアセンブリと、を備える、曲げ工具。
【請求項１８】
前記第１のセグメントが前記第１の位置にあるときに、前記ガラス板が、前記曲げ工具上に配置され、前記第１のセグメントが前記第２の位置にあるときに、前記ガラス板が、前記第１の曲げ工具上で成形され、及び／又は、
前記成形面が、その外周領域において前記ガラス板を支持するように構成され、及び／又は、
前記第１のセグメントが前記第１の位置から前記第２の位置まで移動するときに、前記第２のセグメントに向かう前記方向における前記第１のセグメントの前記移動が、ガラスの進行方向に対して垂直であるか、または前記ガラスの進行方向と同じであり、及び／又は、
前記第２のセグメントが、第１の位置から第２の位置まで、かつ前記第１のセグメントに向かう方向に移動可能であり、及び／又は、
前記第２のセグメントが、第１の位置から第２の位置まで、かつ前記第２のセグメントに向かう前記方向における前記第１のセグメントの移動に対して垂直な方向に移動可能であり、及び／又は、
前記ガラス板の前記第１の部分が、前記ガラス板のピラー縁部分、前縁部分、または後縁部分である、請求項１７に記載の曲げ工具。
【請求項１９】
前記成形面を少なくとも部分的に画定する第３のセグメントをさらに備える、請求項１７又は１８に記載の曲げ工具。
【請求項２０】
前記第３のセグメントが、第４のセグメントに向かう方向に移動可能であり；又は、
前記第３のセグメントが、前記ガラス板の後縁部分を受容するように構成され、および／または前記第３のセグメントの第１の端部が、前記第１のセグメントの第１の端部から離間され、かつ前記第３のセグメントの第２の端部が、前記第２のセグメントの第１の端部から離間され、および／または前記第４のセグメントが、前記ガラス板の前縁部分を受容するように構成され、かつ前記第３のセグメントに向かう方向に移動可能でなく；又は、
前記第３のセグメントが、前記ガラスの進行方向と同じ方向に移動可能であり；又は、
前記第３のセグメントが、前記第２のセグメントに向かう前記方向における前記第１のセグメントの前記移動に対して垂直な方向に移動可能である、請求項１９に記載の曲げ工具。
【請求項２１】
前記第１のセグメントと機械的に連通する第２の位置決めアセンブリをさらに備え、前記第２の位置決めアセンブリが、前記第１の位置決めアセンブリから離間され、かつ前記ガラス板の前記第１の部分に接触して、前記成形面に対する前記ガラス板の前記位置を調整するように構成され、及び／又は、
前記第２のセグメントと機械的に連通する１つ以上の位置決めアセンブリをさらに備え、前記１つ以上の位置決めアセンブリが、前記ガラス板の第２の部分に接触して、前記成形面に対する前記ガラス板の前記位置を調整するように構成される、請求項１７〜２０のいずれかに記載の曲げ工具。
【請求項２２】
フレームをさらに備え、前記第１のセグメントが前記フレームに対して第１の位置にあるときに、前記ガラス板が、前記フレームに対して第１の位置にあり、前記第１のセグメントが前記フレームに対して第２の位置にあるときに、前記ガラス板が、前記フレームに対して第２の位置にあり、前記ガラス板の前記第１の部分が、前記第１の位置決めアセンブリと接触している、請求項１７〜２１のいずれかに記載の曲げ工具。
【請求項２３】
請求項１７〜２２のいずれかに記載の曲げ工具を備える、ガラス成型ライン。
【請求項２４】
ガラス板を成形する方法であって、ガラス板を提供することと、前記ガラス板を成形に適した温度に加熱することと、第１の曲げ工具を提供することであって、前記第１の曲げ工具が、フレームと、前記フレームに対して移動可能な第１のセグメントと、を備え、前記第１のセグメントが、それと機械的に連通する位置決めアセンブリを備える、提供することと、前記ガラス板を前記第１の曲げ工具上に配置することであって、前記ガラス板が、前記第１の曲げ工具の前記第１のセグメントの上に配置され、前記ガラス板が、前記フレームに対して第１の位置にある、配置することと、前記フレームに対する第１の位置から前記フレームに対する第２の位置まで前記第１の曲げ工具の前記第１のセグメントを移動させて、前記位置決めアセンブリを前記ガラス板の第１の縁部分に接触させ、それによって、前記ガラス板を、前記第１の曲げ工具の前記フレームに対する第２の位置まで移動させることと、前記第１の曲げ工具上で前記ガラス板を成形することと、を含む、方法。